(57)【要約】      （修正有）【課題】マルチチューナ環境において、他のチューナＩＣからのクロックノイズ混入の影響をなくし、受信映像にブロックノイズが発生するのを防止する。【解決手段】複数のチューナ１１ａによって、同一チャンネルを選局後、複数の復調器１１ｂによって、Ｃ／Ｎ値を取得し、モニタする。Ｃ／Ｎ値が悪化したら、選局周波数をずらす指示を与え、Ｃ／Ｎ値が改善された場合に、チャンネルと受信周波数の最適値（選局周波数）の組合せを記憶する。その後、記憶してある組合せの同一チャネルを視聴・録画する場合、記憶してある最適値（選局周波数）を使用して選局する。【選択図】図１
2015162776.tif 000002
【特許請求の範囲】
【請求項１】
複数のテレビ放送を個別に受信するチューナと、
複数の前記チューナに対して受信するチャンネルを指定して受信させるチャンネル指定手段と、
複数の前記チューナによって所定のチャンネルのテレビ放送を同時に受信させたときに受信状態を良好でないときに受信周波数を調整して受信状態を改善させる受信調整手段と、
受信周波数を調整して受信状態を改善させたチャンネルの組み合わせと受信周波数とを記憶するチャンネル組合せ記憶手段と、
前記チャンネル指定手段による前記チューナに対するチャンネルの指定が、前記チャンネル組合せ記憶手段に記憶されているチャンネルの組合せであるときに、前記記憶されている受信周波数で受信させる受信周波数指定手段とを備えることを特徴とするテレビ放送受信装置。
【請求項２】
所定の期間が経過すると、前記受信調整手段と前記チャンネル組合せ記憶手段とにより、前記受信状態を改善させたチャンネルの組み合わせと受信周波数を更新することを特徴とする請求項１に記載のテレビ放送受信装置。
【請求項３】
前記受信調整手段とチャンネル組合せ記憶手段は、同一のチャンネルを複数のチューナで受信させるときに当該同一のチャンネルを組合せとして記憶することを特徴とする請求項１または請求項２に記載のテレビ放送受信装置。
【請求項４】
前記受信調整手段とチャンネル組合せ記憶手段は、異なるチャンネルを複数のチューナで受信させるときに当該異なるチャンネルの組合せを記憶することを特徴とする請求項１または請求項２に記載のテレビ放送受信装置。
【請求項５】
前記受信周波数指定手段は、一のチューナで所定のチャンネルを受信しているときに他のチューナで電子番組表を受信させるときに当該チャンネルの組合せが前記記憶している組合せとならないようにすることを特徴とする請求項１〜請求項４のいずれかに記載のテレビ放送受信装置。
【請求項６】
前記受信調整手段は、受信状態を表す値が所定のしきい値よりも良好でないときに、受信状態が良好でないものとみなすことを特徴とする請求項１〜請求項５のいずれかに記載のテレビ放送受信装置。
【請求項７】
前記チューナで受信するテレビ放送を録画する記録手段を有し、
前記チャンネル指定手段と前記受信調整手段と前記チャンネル組合せ記憶手段は、前記記録手段で録画していないときに前記受信状態を改善させたチャンネルの組み合わせと受信周波数を記憶することを特徴とする請求項１〜請求項６のいずれかに記載のテレビ放送受信装置。
【請求項８】
複数のテレビ放送を個別に受信するチューナを備えたテレビ放送受信装置における受信方法であって、
所定のチャンネルの組合せを指定して複数の前記チューナに対して受信させる工程と、
複数の前記チューナによって所定のチャンネルのテレビ放送を同時に受信させたときに受信状態を良好でないときに受信周波数を調整して受信状態を改善させる工程と、
受信周波数を調整して受信状態を改善させたチャンネルの組み合わせと受信周波数とを記憶する工程と、
前記チューナに対するチャンネルの指定が、前記記憶されているチャンネルの組合せであるときに、前記記憶されている受信周波数で受信させる工程とを含むことを特徴とするテレビ放送受信装置の受信方法。
【発明の詳細な説明】
【技術分野】
【０００１】
本発明は、複数のチューナを備えて同時に複数のテレビ放送を受信するテレビ放送受信装置およびテレビ放送受信装置の受信方法に関する。
【背景技術】
【０００２】
近年、複数のチューナを備えて同時に複数のテレビ放送を受信して常時録画するものが知られている。マルチチューナ環境とも呼ばれている。
複数のチューナで同一チャンネルを受信した場合、選局時のクロックノイズが他のチューナのクロック入力に混入し、位相雑音を発生させる。これにより、受信映像にブロックノイズが発生したり、最悪の場合、受信できない場合がある。この対策に関して特許文献１〜４に開示するものが知られている。
【０００３】
特許文献１は、同一チャンネル妨害の有無を判断および解消し、受信性能の維持を図ることができるデジタル放送受信装置に関する。特許文献１の図４および段落００１１には、「同一チャンネル妨害がある場合は、ステップＳ４３４で一方のデジタルチューナに対して復調ＩＣが引き込める限度値までローカル周波数を上または下側へオフセットしたデータを転送することで同一チャンネル妨害を解消」との開示がある。
【０００４】
特許文献２は、１つのキャビネット中のＶＣＯ回路の相互干渉による受信障害を抑制する受信装置、受信装置の制御方法、受信装置の制御プログラムに関する。特許文献２の図１および段落００１８には、「受信装置では、２つの信号処理回路で同一の希望信号周波数（チャンネル）を選択しても、両者のローカル周波数をｎ（ｎは１以上の自然数）ステップ周波数だけ正確にずらすことができる」との開示がある。
【０００５】
特許文献３は、同時に同一チャンネルを選局したときに起こる相互干渉を低減し、なお装置内で使用しているクロックの干渉を低減し、良好な受信環境を提供するダブルチューナーに関する。特許文献３の図１および段落００２９には、「２個のチューナーが同一チャンネルを選局した場合に局部発振回路で起こる相互干渉による受信劣化を回避させるため干渉を起こさない周波数領域に変移させる方法を用いている」との開示がある。
【０００６】
特許文献４は、選局対象となる放送波の周波数帯域に、選局対象外のチューナー部の局部発振周波数およびその高調波が干渉し、受信性能劣化が発生する受信装置に関する。特許文献４の図１および段落０００８には、「２つ以上のチューナー部がそれぞれ独立した局部発振回路を有する受信装置において、ひとつのチューナー部が選局する放送波の周波数帯域と、選局対象外のチューナー部の局部発振周波数およびその高調波とが重なり合わないように選局対象外のチューナー部の局部発振周波数を制御」との開示がある。
【先行技術文献】
【特許文献】
【０００７】
【特許文献１】特開２００７−２９５２２９号公報
【特許文献２】特開２００３−２１８７１６号公報
【特許文献３】特開２０１０−０１６７８６号公報
【特許文献４】特開２００６−２５３８８５号公報
【発明の概要】
【発明が解決しようとする課題】
【０００８】
従来の技術では、同一チャンネルを複数のチューナで受信したときに、周波数をずらして調整する処理を行なうものはあるが、その都度、行なうのでは即時性に欠ける。また、近年ではタイムシフト機能（常時録画機能）が利用され始めており、録画中に周波数を調整すると録画画質に影響を与えることもあり、利用できない。
また、必ずしも同一チャンネルを受信する場合には限らないので、同様の原因で起こりえる別々のチャンネルでの受信の場合に適用できなかった。
【０００９】
本発明は、マルチチューナ環境において、他のチューナＩＣからのクロックノイズ混入の影響をなくし、受信映像にブロックノイズが発生するのを防止するテレビ放送受信装置およびテレビ放送受信装置の受信方法を提供する。
【課題を解決するための手段】
【００１０】
本発明は、複数のテレビ放送を個別に受信するチューナと、複数の前記チューナに対して受信するチャンネルを指定して受信させるチャンネル指定手段と、複数の前記チューナによって所定のチャンネルのテレビ放送を同時に受信させたときに受信状態を良好でないときに受信周波数を調整して受信状態を改善させる受信調整手段と、受信周波数を調整して受信状態を改善させたチャンネルの組み合わせと受信周波数とを記憶するチャンネル組合せ記憶手段と、前記チャンネル指定手段による前記チューナに対するチャンネルの指定が、前記チャンネル組合せ記憶手段に記憶されているチャンネルの組合せであるときに、前記記憶されている受信周波数で受信させる受信周波数指定手段とを備える構成としてある。
【００１１】
前記構成において、予め、チャンネル指定手段が複数の前記チューナに対して受信するチャンネルを指定し、所定のチャンネルのテレビ放送を同時に受信させ、その際に、受信状態を良好でない場合は、受信調整手段が受信周波数を調整して受信状態を改善させる。そして、チャンネル組合せ記憶手段は、受信周波数を調整して受信状態を改善させたチャンネルの組み合わせと受信周波数とを記憶する。
【００１２】
その後、前記チャンネル指定手段による前記チューナに対するチャンネルの指定が、前記チャンネル組合せ記憶手段に記憶されているチャンネルの組合せであるときに、受信周波数指定手段は、前記記憶されている受信周波数で前記チューナに受信させる。
予め受信状態を改善させた受信周波数をチャンネルの組合せに対応して記憶しているので、同時に受信するチャンネルの組合せと一致したときには、既に記憶されている受信周波数で受信させるため、受信状態が悪化することがない。
【００１３】
本発明の他の態様の一例として、所定の期間が経過すると、前記受信調整手段と前記チャンネル組合せ記憶手段とにより、前記受信状態を改善させたチャンネルの組み合わせと受信周波数を更新する構成としても良い。
受信状態は常に一定とは限らないことがあり、所定の期間が経過したときに、前記受信状態を改善させたチャンネルの組み合わせと受信周波数を更新することで、いつでも受信状態が悪化しないようにさせることができる。
【００１４】
本発明の他の態様の一例として、前記受信調整手段とチャンネル組合せ記憶手段は、同一のチャンネルを複数のチューナで受信させるときに当該同一のチャンネルを組合せとして記憶する。
選局時のクロックノイズが他のチューナのクロック入力に混入し、位相雑音を発生させる一例として、複数のチューナで同一チャンネルを受信した場合に対応している。
【００１５】
本発明の他の態様の一例として、前記受信調整手段とチャンネル組合せ記憶手段は、異なるチャンネルを複数のチューナで受信させるときに当該異なるチャンネルの組合せを記憶する。
選局時のクロックノイズが他のチューナのクロック入力に混入し、位相雑音を発生させる一例として、複数のチューナで異なるチャンネルを受信させる場合にも対応している。
【００１６】
本発明の他の態様の一例として、前記受信調整手段とチャンネル組合せ記憶手段は、一のチューナで所定のチャンネルを受信しているときに他のチューナで電子番組表を受信させるときに当該チャンネルの組合せを記憶する。
選局時のクロックノイズが他のチューナのクロック入力に混入し、位相雑音を発生させる一例として、他のチューナで電子番組表を受信させる場合があり、このような場合にも対応している。
【００１７】
本発明の他の態様の一例として、受信調整手段は、受信状態を表す値が所定のしきい値よりも良好でないときに、受信状態が良好でないものとみなす。
受信状態が良好でないものとする一つの基準として、この例では受信状態を表す値を参照し、その値が所定のしきい値よりも良好でないときに受信状態が良好でないものと見なしている。例えば、Ｃ／Ｎ値などを参照する。
【００１８】
本発明の他の態様の一例として、前記チューナで受信するテレビ放送を録画する記録手段を有し、前記チャンネル指定手段と前記受信調整手段と前記チャンネル組合せ記憶手段は、前記記録手段で録画していないときに前記受信状態を改善させたチャンネルの組み合わせと受信周波数を記憶する構成としてある。
常時録画器においては、基本的に常時録画しているので、録画中に受信周波数の調整をすると録画映像に影響を与える。このため、録画していないときに、受信周波数の調整を行なう。例えば、ハードディスクのメンテナンス時間中などを利用して実施すればよい。
【００１９】
本発明の他の態様の一例として、複数のテレビ放送を個別に受信するチューナを備えたテレビ放送受信装置における受信方法であって、所定のチャンネルの組合せを指定して複数の前記チューナに対して受信させる工程と、複数の前記チューナによって所定のチャンネルのテレビ放送を同時に受信させたときに受信状態を良好でないときに受信周波数を調整して受信状態を改善させる工程と、受信周波数を調整して受信状態を改善させたチャンネルの組み合わせと受信周波数とを記憶する工程と、前記チューナに対するチャンネルの指定が、前記記憶されているチャンネルの組合せであるときに、前記記憶されている受信周波数で受信させる工程とを含むように構成しても良い。
【００２０】
本発明にかかる技術的思想はテレビ放送受信装置という形態のみで実現されるものではなく、例えば、上述したテレビ放送受信装置が実行する処理手順を有するテレビ放送受信装置の受信方法の発明や、上述したテレビ放送受信装置において実現される処理をハードウェア（コンピューター）に実行させるプログラムの発明としても、把握することが可能である。
【発明の効果】
【００２１】
本発明によれば、マルチチューナ環境において、他のチューナＩＣからのクロックノイズ混入の影響をなくし、受信映像にブロックノイズが発生するのを防止することができる。特に、視聴中や録画中に受信周波数を調整することはせず、予め調整しておいた受信周波数を適用するので、ユーザによる選局指示の直後から最前の環境で視聴できたり、録画中でも実施できる。
【図面の簡単な説明】
【００２２】
【図１】本発明のテレビ放送受信装置のブロック図である。
【図２】チューナの概略ブロック図である。
【図３】同一チャンネルを受信させるときの受信周波数を求める処理手順に対応したフローチャートである。
【図４】同一チャンネルを受信させるときの受信周波数を適用する処理手順に対応したフローチャートである。
【図５】異なるチャンネルを受信させるときの受信周波数を求める処理手順に対応したフローチャートである。
【図６】異なるチャンネルを受信させるときの受信周波数を適用する処理手順に対応したフローチャートである。
【図７】ＥＰＧを取得するときの処理手順に対応したフローチャートである。
【発明を実施するための形態】
【００２３】
（第一実施例）
図１は、本発明の一実施形態にかかるテレビ放送受信装置を適用した録画再生装置をブロック図により示している。なお、本録画再生装置はディスプレイを備えているので録画再生機能付きのテレビジョンである。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に異なる六つのテレビ放送を受信できる。
【００２４】
各チューナ１１ａ１〜１１ａ６のＩＦ出力は、復調器１１ｂ１〜１１ｂ６に入力されており、復調器１１ｂ１〜１１ｂ６はＩＦ出力を復調してエラー処理まで行われた復調信号が、それぞれ個別にデマルチプレクサ１２に入力されている。復調器１１ｂ１〜１１ｂ６は、復調信号を得る過程で各チューナ１１ａ１〜１１ａ６におけるそれぞれ個別のＣ／Ｎ値を取得することができ、各Ｃ／Ｎ値もデマルチプレクサ１２に出力されている。
【００２５】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。ＣＰＵは後述するアンテナ設置補助処理では、前記受信強度に基づいて所定の表示を行う。この表示はＯＳＤ（オンスクリーンディスプレイ）として後述するデコーダ１５に出力する。
【００２６】
マルチプレクサ１３は、録画時、受信したデジタル放送のコンテンツから録画に必要な情報を抽出して再多重し、記録領域としてのＨＤＤ１４に記録させる。再生時は、デマルチプレクサ１２がＨＤＤ１４から直にデータを読み出す。ＨＤＤ１４には、デジタル放送のコンテンツを記録可能であるのに加え、後述するように同時受信するチャンネルの組合せと受信周波数の情報などが記憶されている。これらの情報についてはＨＤＤ１４以外の記憶領域を設けて保存することも可能である。なお、ＨＤＤ１４に代え、または、ＨＤＤ１４ととも記録媒体を変更可能なブルーレイディスクドライブ１４ａや、外付けのＨＤＤなどを備えても良い。
【００２７】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。また、デコードされた音声信号はアンプ１８で増幅されてスピーカ１９から音声として出力される。また、デコーダ１５はデマルチプレクサ１２のＣＰＵが生成する各種のＯＳＤ表示のデータを入力し、デコードされた映像信号に重畳してドライバー１６へと出力する。
【００２８】
本録画再生装置１０に対する操作指示は、操作パネル２１を介してデマルチプレクサ１２が取得し、所定の制御に反映させる。また、リモコン２２を介する操作指示も同様に取得可能となっている。
デマルチプレクサ１２にはネットワークユニット２３が接続され、デマルチプレクサ１２はネットワークユニット２３を介して小規模ＬＡＮやインターネットへ接続することが可能である。また、デマルチプレクサ１２はサーバー機能も備えており、本録画再生装置１０に対して所定のプロトコールに準拠してアクセスすれば、対応するデータを提供することができるようになっている。例えば、ＨＤＤ１４に録画されている映像プログラムを提供するメディアサーバーとして機能したり、後述するアンテナ設置補助処理に伴ってＷＥＢサーバーとしても機能する。また、ネットワーク上の記録装置に対してＨＤＤ１４のように録画再生しても良い。
【００２９】
本実施例では、チューナ１１が複数のテレビ放送を個別に受信するチューナに相当し、ＨＤＤ１４が受信周波数を調整して受信状態を改善させたチャンネルの組み合わせと受信周波数とを記憶するチャンネル組合せ記憶手段とテレビ放送の内容を録画する記録手段に相当し、デマルチプレクサ１２が後述する処理手順に沿って各種の制御を実行する実行手段に相当している。すなわち、デマルチプレクサ１２は、チャンネル指定手段、受信調整手段、受信周波数指定手段に相当する。
【００３０】
図２は、チューナを概略ブロック図により示している。
ここでは理解の簡易のために３つのチューナＩＣ１１ｃ１〜１１ｃ３がある場合について説明する。
チューナＩＣ１１ｃ１〜１１ｃ３は、Ｍａｉｎ，Ｓｕｂ１，Ｓｕｂ２と表している。チューナＩＣ１１ｃ１はアンテナ端子１１ｄを備えており、図示しないアンテナで受信されたテレビ放送信号はアンプ１１ｅを介してＲＦフィルタ１１ｆに入力されている。水晶発信器１１ｇには水晶発振子１１ｈが接続され、所定のクロック信号をＰＬＬ電圧制御発振器１１ｊに出力している。ＰＬＬ電圧制御発振器１１ｊは所定の周波数の発振信号を出力し、加算回路１１ｋでテレビ放送信号と加算される。この加算回路１１ｋの出力はローパスフィルタ１１ｍを介してアンプ１１ｎに入力され、ＩＦ信号が出力される。なお、本実施例ではＩＦ信号を出力しているが、ＲＦ信号をＩＦ信号及びＩＱ信号に変換するＩＣ等において同等である。
【００３１】
ＰＬＬ電圧制御発振器１１ｊが出力する発振信号の周波数は、テレビ放送における各チャンネルに対応しており、上述したデマルチプレクサ１２のＣＰＵが受信すべきチャンネルに応じて所定の電圧を出力させ、同ＰＬＬ電圧制御発振器１１ｊが各チャンネルに対応した周波数の発振信号を出力する。
チューナＩＣ１１ｃ２，１１ｃ３は基本的な構成はチューナＩＣ１１ｃ１と同様であるが、それぞれのアンテナ端子１１ｄにはチューナＩＣ１１ｃ１内のスルーアンプ１１ｐを介して増幅されたテレビ放送信号が入力されており、また、水晶発信器１１ｇには、チューナＩＣ１１ｃ１の水晶発振子１１ｈの出力を分離器１１ｑを介して分離されたクロック信号が入力されている。
【００３２】
このように、一つの水晶発振子１１ｈからのクロック信号が三つのチューナＩＣ１１ｃ１〜１１ｃ３に利用されている。このため、同一チャンネルを受信する際には、位相雑音を発生させる原因となる。なお、本実施例においては、異なるチャンネルでも所定の組合せで位相雑音を発生させるものとして、異なるチャンネルの組合せに対しても対応している。
【００３３】
先行技術にも開示されているように、複数のチューナＩＣ１１ｃ１〜１１ｃ３で同一チャンネルを受信して位相雑音が発生する場合、各チューナＩＣ１１ｃ１〜１１ｃ３で受信する周波数をずらすことによって位相雑音を解消させることが可能である。この場合、一律にずらせばよいというわけではなく、位相雑音を解消させる周波数を探知させる必要があり、個別の対応が必要である。以下、かかる制御について詳述する。
【００３４】
図３は、同一チャンネルを受信させるときの受信周波数を求める処理手順をフローチャートにより示している。この処理は、録画処理を開始する前に事前に行っておく処理である。なお、同一チャンネルを複数のチューナ１１ａで受信する場合でも、広義にはチャンネルの組合せに該当する。本発明において、チャンネルの組合せには、同一チャンネル同士の組合せを含んでいる。ただし、実施例としては、別々に説明する。
【００３５】
デマルチプレクサ１２のＣＰＵは、Ｓ１００にて、本録画再生装置１０が電源オンであるか、スタンバイのいずれかであって、かつ、録画中でない状態であるときに、以下の処理を実行する。なお、録画中に実行すると、録画している番組にブロックノイズが発生してしまうことになるため、録画していないときに以下の処理を実行する。
まず、ＣＰＵは、Ｓ１１０にて、初回時か更新タイミングであるか判断する。以下において、実行する処理は、受信周波数（以下、選局周波数とも呼ぶ）を求める処理であるが、一度実行すれば完了するというものではなく、定期的に最新状態に対応して更新させていくことが好ましい。このため、本フローチャートに示す処理は逐次実行され、初回時と更新タイミングであれば以下の処理を実行する。一方、更新タイミングでなければ、更新することなく本処理を終了する。
なお、Ｓ１１０の判断を経て、以下の処理を実行することは、所定の期間が経過すると、受信状態を改善させたチャンネルの組み合わせと受信周波数を更新する処理に相当する。
【００３６】
次に、ＣＰＵは、Ｓ１２０〜Ｓ１８０の間で、各チャンネルについて全てのチャンネルを終了するまでループ処理を行う。Ｓ１２０では、チャンネルを繰り上げながら、所定のチャンネル（ｃｈ）で複数のチューナ１１ａに対して同一チャンネルの受信を指示する。このときの選局周波数は、各チャンネルに対応した本来の周波数である。すなわち、同本来の周波数を示す所定の電圧をデマルチプレクサ１２はチューナ１１ａのＰＬＬ電圧制御発振器１１ｊに対して出力することになる。なお、Ｓ１２０の処理は、チャンネル指定手段に相当する。
【００３７】
選局後、ＣＰＵは、Ｓ１３０にて、Ｃ／Ｎ値をモニタする。すなわち、選局を指示したチューナ１１ａと組になっている復調器１１ｂからＣ／Ｎ値をデマルチプレクサ１２から取得し、モニタする。モニタしている際に、上述したクロックノイズにより、Ｃ／Ｎ値が悪化することがある。この場合、ＣＰＵは、Ｓ１４０にて、Ｃ／Ｎが悪化したと判断し、Ｓ１５０にて、選局周波数をずらす指示を与える。選局周波数は、ＰＬＬ電圧制御発振器１１ｊに対する電圧値によって決まるので、ＣＰＵはデマルチプレクサ１２からチューナ１１ａのＰＬＬ電圧制御発振器１１ｊに対して出力する電圧をずらすことになる。このように、受信状態が良好であるか否かは、受信状態を表す値であるＣ／Ｎ値が所定のしきい値と比較して良好であるか否かを判断することとしている。
【００３８】
Ｓ１６０にて、ＣＰＵは、選局周波数を変えてみてＣ／Ｎ値が改善したか判断する。改善していない場合は、再度、Ｓ１５０にて、選局周波数をずらす指示を与え、Ｃ／Ｎ値が改善したと判断されるまで繰り返す。なお、フローチャートには示していないが、所定の周波数だけずらしても改善しない場合は処理を中断しても良い。
なお、Ｓ１３０〜Ｓ１６０の処理は、複数のチューナによって所定のチャンネルのテレビ放送を同時に受信させたときに受信状態を良好でないときに受信周波数を調整して受信状態を改善させる受信調整手段に相当する。
【００３９】
Ｓ１６０にて、Ｃ／Ｎ値が改善したと判断されたら、Ｓ１７０にて、そのチャンネルの番号と最適値（選局周波数）をＨＤＤ１４に記憶する。そして、Ｓ１８０にて、全チャンネルについて終了したと判断されるまで、チャンネル番号を上げながらＳ１２０〜Ｓ１７０の処理を繰り返す。なお、Ｓ１７０の処理は、受信周波数を調整して受信状態を改善させたチャンネルの組み合わせと受信周波数とを記憶するチャンネル組合せ記憶手段に相当する。
【００４０】
以上の処理を完了すると、同一のチャンネルを複数のチューナ１１ａで受信するときにクロックノイズの影響を避けるために必要な選局周波数が求められる。すなわち、同一のチャンネルを複数のチューナで受信させるときに当該同一のチャンネルを組合せとして記憶している。
【００４１】
その後、録画を行うときの処理を以下に説明する。
図４は、同一チャンネルを受信させるときの受信周波数を適用する処理手順をフローチャートにより示している。
デマルチプレクサ１２のＣＰＵは、Ｓ２００にて、これから録画のために受信を指示しようとしているチャンネルを、その時点で、視聴または録画しているか判断する。視聴または録画している場合、ＣＰＵは、Ｓ２１０にて、同チャンネルについてＨＤＤ１４に記憶されているかを参照する。同一チャンネルの場合は、基本的にクロックノイズの影響を避けるために対策用の選局周波数が最適値として記憶されているはずであり、ＣＰＵは、Ｓ２２０にて、記憶してある最適値（選局周波数）を使用してチューナ１１ａに受信させる。その後、図示していないが録画を開始する。この場合、複数のチューナ１１ａで同一チャンネルのテレビ放送を受信させることになるが、予め選局周波数をずらしてＣ／Ｎ値が改善された最適値を使うことになるので、クロックノイズによる影響を防ぐことができる。
【００４２】
以上は、録画を開始する時点で、録画しようとするチューナ１１ａに対する選局周波数を指定した。一方、録画を開始しているときに、視聴を開始して同一チャンネルを指定してしまうこともある。
この場合、ＣＰＵは、Ｓ２３０にて、録画中であるか判断し、録画中であれば、Ｓ２４０にて、同一チャンネルの受信の開始に当たるのかを判断する。同一チャンネルを受信することになると、録画のために受信しているチューナ１１ａにおいてもクロックノイズの影響が出てしまう。このため、ＣＰＵは、Ｓ２５０にて、当該チャンネルでＨＤＤ１４に記憶されているチャンネルを参照し、対応して記憶されている選局周波数を取得する。そして、Ｓ２６０にて、記憶してあった最適値（選局周波数）を使用して受信させるようにチューナ１１ａに指示する。
【００４３】
録画はいずれ終了するので、ＣＰＵは、Ｓ２７０にて、録画終了と判断したら、Ｓ２８０にて、初期値の選局周波数を使用して受信させるようにチューナ１１ａに指示する。ただし、途中で選局周波数を変更しないことを望むのであれば、チャンネルを変更する指示がユーザから出されるまで、同じ選局周波数を使用しても良い。
Ｓ２００〜Ｓ２２０の処理と、Ｓ２３０〜Ｓ２６０の処理は、チャンネル指定手段によるチューナ１１ａに対するチャンネルの指定が、チャンネル組合せ記憶手段に記憶されているチャンネルの組合せであるときに、記憶されている受信周波数（選局周波数）で受信させる受信周波数指定手段に相当する。
【００４４】
以上説明したように、本実施例によれば、同一チャンネルの場合は、基本的にクロックノイズの影響を避けるために対策用の選局周波数が最適値として記憶され、複数のチューナ１１ａで同一チャンネルのテレビ放送を受信させることになっても、予め選局周波数をずらしてＣ／Ｎ値が改善された最適値を使うことになるので、クロックノイズによる影響を防ぐことができる。
【００４５】
（第二実施例）
第一実施例では、同一チャンネルのテレビ放送を受信させることになるときにクロックノイズによる影響を防ぐことを対象としていた。第二実施例では、同一チャンネルではないチャンネルの組合せでテレビ放送を受信させることになるときにクロックノイズによる影響を防ぐことを対象とする。
【００４６】
図５は、異なるチャンネルを受信させるときの受信周波数を求める処理手順をフローチャートにより示している。
デマルチプレクサ１２のＣＰＵは、Ｓ３００にて、本録画再生装置１０が電源オンであるか、スタンバイのいずれかであって、かつ、録画中でない状態であるときに、以下の処理を実行する。また、ＣＰＵは、Ｓ３１０にて、初回時か更新タイミングであるか判断し、該当する場合に、以下の処理を実行する。定期的に最新状態に対応して更新させていくためである。
【００４７】
さらに、ＣＰＵは、Ｓ３２０〜Ｓ３８０の間で、チャンネルの全ての組合せについて終了するまでループ処理を行う。Ｓ３２０では、チャンネルを繰り上げながら、所定のチャンネル同士の組合せとなるように複数のチューナ１１ａに対して同組合せチャンネルの受信を指示する。この時点での選局周波数は、各チャンネルに対応した本来の周波数である。すなわち、同本来の周波数を示す所定の電圧をデマルチプレクサ１２はチューナ１１ａのＰＬＬ電圧制御発振器１１ｊに対して出力することになる。
【００４８】
選局後、ＣＰＵは、Ｓ３３０にて、Ｃ／Ｎ値をモニタする。モニタするにあたり、一方のチューナ１１ａを基準とし、他方のチューナ１１ａのＣ／Ｎ値をモニタすればよい。すなわち、選局を指示したチューナ１１ａと組になっている一方の復調器１１ｂからＣ／Ｎ値を取得し、モニタする。チャンネルの組合せによっては、モニタしている際に、上述したクロックノイズにより、Ｃ／Ｎ値が悪化することがある。この場合、ＣＰＵは、Ｓ３４０にて、Ｃ／Ｎ値が悪化したと判断し、Ｓ３５０にて、選局周波数をずらす指示を与える。この場合も、ＣＰＵはデマルチプレクサ１２から一方のチューナ１１ａのＰＬＬ電圧制御発振器１１ｊに対して出力する電圧をずらして選局周波数を変化させる。
【００４９】
Ｓ３６０では、ＣＰＵは、選局周波数を変えてみてＣ／Ｎ値が改善したか判断する。改善していない場合は、再度、Ｓ３５０にて、選局周波数をずらす指示を与え、Ｃ／Ｎ値が改善したと判断されるまで繰り返す。
Ｓ３６０にて、Ｃ／Ｎ値が改善したと判断されたら、Ｓ３７０にて、選局しているチャンネルの組合せと最適値（選局周波数）をＨＤＤ１４に記憶する。そして、Ｓ３８０にて、全チャンネルについて終了したと判断されるまで、組合せチャンネルを変化させながらＳ３２０〜Ｓ３７０の処理を繰り返す。
以上の処理により、異なるチャンネルを複数のチューナで受信させるときに当該異なるチャンネルの組合せを記憶することになる。
【００５０】
その後、録画を行うときの処理を以下に説明する。
図６は、異なるチャンネルを受信させるときの受信周波数を適用する処理手順をフローチャートにより示している。
デマルチプレクサ１２のＣＰＵは、Ｓ４００にて、録画開始時点でいずれかのチャンネルを、その時点で、視聴または録画しているか判断する。視聴または録画している場合、ＣＰＵは、Ｓ４１０にて、視聴または録画中のチャンネルと録画予約チャンネルの組合せがＨＤＤ１４に記憶されているかを参照する。組合せチャンネルの場合は、必ずしもクロックノイズの影響を避けるために対策用の選局周波数が最適値として記憶されとは限らない。しかし、視聴または録画中のチャンネルと録画予約チャンネルの組合せがＨＤＤ１４に記憶されていると判断されたら、ＣＰＵは、Ｓ４２０にて、記憶してある最適値（選局周波数）を使用してチューナ１１ａに受信させる。その後、図示していないが録画を開始する。この場合、複数のチューナ１１ａで本来ならばＣ／Ｎ値を悪化させる組合せのチャンネルのテレビ放送を受信させることになるが、予め選局周波数をずらしてＣ／Ｎ値が改善された最適値を使うことになるので、クロックノイズによる影響を防ぐことができる。
【００５１】
以上は、録画を開始する時点で、録画しようとするチューナ１１ａに対する選局周波数を指定した。一方、録画を開始しているときに、視聴を開始してＣ／Ｎ値を悪化させる一チャンネルを指定してしまうこともある。
この場合、ＣＰＵは、Ｓ４３０にて、録画中であるか判断し、録画中であれば、Ｓ４５０にて、録画中のチャンネルと視聴開始チャンネルの組合せがＨＤＤ１４に記憶されているか判断する。記憶されている組合せのチャンネルを受信することになると、録画のために受信しているチューナ１１ａにおいてもクロックノイズの影響が出てしまう。このため、ＣＰＵは、Ｓ４６０にて、当該チャンネルでＨＤＤ１４に記憶されているチャンネルの組合せを参照し、対応して記憶されている最適値（選局周波数）を使用して受信させるようにチューナ１１ａに指示する。
【００５２】
録画はいずれ終了するので、ＣＰＵは、Ｓ４７０にて、録画終了と判断したら、Ｓ４８０にて、初期値の選局周波数を使用して受信させるようにチューナ１１ａに指示する。ただし、上述したように、同じ選局周波数を使用しても良い。
以上説明したように、本実施例によれば、同一チャンネルではないものの予めＣ／Ｎ値を悪化させるような組合せであることが分かっている組合せであれば、クロックノイズの影響を避けるために対策用の選局周波数が最適値として記憶されているから、複数のチューナ１１ａで所定の組合せのチャンネルのテレビ放送を受信させることになっても、予め選局周波数をずらしてＣ／Ｎ値が改善された最適値を使うことになるので、クロックノイズによる影響を防ぐことができる。
【００５３】
（第三実施例）
ところで、視聴または録画をするつもりではないものの、ＥＰＧ（番組表）を参照するときに、同一チャンネルのテレビ放送を複数のチューナ１１ａで受信することがあり得る。この場合、視聴または録画をしている側のチューナ１１ａにおいて、クロックノイズによる影響が出てしまう。
第三実施例では、ＥＰＧの取得にあたってクロックノイズによる影響を未然に防ぐ。
【００５４】
図７は、ＥＰＧを取得するときの処理手順をフローチャートにより示している。
ＣＰＵは、Ｓ５００にて、視聴または録画しているか判断する。視聴または録画している場合、さらに、Ｓ５１０にて、視聴または録画しているチャンネルのＥＰＧを取得しようとしているのかを判断する。この場合、同一チャンネルの場合の対策となる。もし、視聴または録画しているチャンネルのＥＰＧを取得するのであれば、ＣＰＵは、Ｓ５２０にて、当該チャンネルでＨＤＤ１４の記憶を参照し、Ｓ５３０にて、記憶してある最適値（選局周波数）をＥＰＧを取得するための選局周波数として使用する。
【００５５】
一方、Ｓ５１０にて、同一チャンネルの場合ではないと判断したら、Ｓ５４０にて、視聴または録画しているチャンネルと取得するＥＰＧのチャンネルとの組合せがＨＤＤ１４に記憶されているか判断する。この場合は、同一ではないが組合せチャンネルがＣ／Ｎ値を悪化させる組合せである場合に相当する。従って、組合せチャンネルが記憶されていた場合、ＣＰＵは、Ｓ５５０にて、記憶してある最適値（選局周波数）をＥＰＧを取得するための選局周波数として使用する。
【００５６】
そして、Ｓ５１０またはＳ５４０にて記憶されていないチャンネルの場合は、Ｃ／Ｎ値を悪化させる状況ではないので、ＣＰＵは、Ｓ５６０にて、初期値の選局周波数をＥＰＧを取得するための選局周波数として使用する。また、Ｓ５００にて、視聴または録画している場合も、ＣＰＵは、Ｓ５６０にて、初期値の選局周波数をＥＰＧを取得するための選局周波数として使用すればよい。
以上の処理で、ＥＰＧを取得するために使用する選局周波数が決定されているので、ＣＰＵは、Ｓ５７０にて、同選局周波数を使用してＥＰＧを取得する。
【００５７】
このようにして、テレビ放送を視聴または録画をするつもりではないものの、ＥＰＧを取得することで、視聴または録画をしている側のチューナ１１ａにおいてクロックノイズによる影響が出てしまうのを防止することができる。すなわち、一のチューナ１１ａで所定のチャンネルを受信しているときに他のチューナ１１ａで電子番組表を受信させるときに当該チャンネルの組合せがＨＤＤ１４に記憶されているＣ／Ｎ値を悪化させる組合せとならないようにしている。
【００５８】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５９】
１１、１１ａ１〜１１ａ６…チューナ、１１ｂ１〜１１ｂ６…復調器、１１ｃ１〜１１ｃ３…チューナＩＣ、１１ｄ…アンテナ端子、１１ｅ…アンプ、１１ｆ…ＲＦフィルタ、１１ｇ…水晶発信器、１１ｈ…水晶発振子、１１ｊ…ＰＬＬ電圧制御発振器、１１ｋ…加算回路、１１ｍ…ローパスフィルタ、１１ｎ…アンプ、１１ｐ…スルーアンプ、１１ｑ…分離器、１２…デマルチプレクサ、１３…マルチプレクサ、１４…ＨＤＤ、１５…デコーダ、１６…ドライバー、１７…ディスプレイパネル、１８…アンプ、１９…スピーカ、２１…操作パネル、２２…リモコン、２３…ネットワークユニット。
【図１】
2015162776.tif 000003
【図２】
2015162776.tif 000004
【図３】
2015162776.tif 000005
【図４】
2015162776.tif 000006
【図５】
2015162776.tif 000007
【図６】
2015162776.tif 000008
【図７】
2015162776.tif 000009